【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
コンピュータ・ネットワークを通してローカル・コンピュータ・システムからリモート・コンピュータ・システムに、遠隔的にソフトウェアを実行する、コンピュータで実現される方法であって、
（a）前記ローカル・コンピュータ・システム上で、複数の可能性のある前記リモート・コンピュータ・システムのうちの１つからリモート・コンピュータ・システムを選択するために、データ受け取るステップと、
（b）リモート・コンピュータ・システムのリモート端末として動作する前記ローカル・コンピュータ・システムを、前記リモート・コンピュータ・システムに接続するステップと、
（c）リモート・コンピュータ・システム上で実行されるソフトウェアを含む、前記ローカル・コンピュータ・システム上の記憶装置を、前記リモート・コンピュータ・システム上の記憶装置として接続するステップと、
（d）前記リモート・コンピュータ・システム内で、前記記憶装置上の各々のソフトウェア・プログラムについてチェックサム値を計算し、そのチェックサム値を前記ローカル・コンピュータ・システムに送るプログラムを実施するステップと、
（e）前記ローカル・コンピュータ・システム内で、各々のチェックサム値を、ローカル・コンピュータ・システム内に記憶されるチェックサム値と比較するステップと、
（f）前記リモート・コンピュータ・システム上で、前記記憶装置に記憶される前記ソフトウェアを実施するステップと、
を含む方法。
【請求項２】
前記ステップ(a)がさらにパスワードを受け取ることを含み、
（a1）パスワードの入力のための画面位置を表示するステップと、
（a2）受け取られる文字を表示せずに、パスワードの文字を受け取るステップと、
（a3）クリア・パスワード・ボタンを表示するステップと、
（a4）パスワードの少なくとも１つの文字が受け取られるまで、前記クリア・パスワード・ボタンを使用不可能にするステップと、
（a5）少なくとも１つの文字が受け取られたあと、前記クリア・パスワード・ボタンを使用可能にするステップと、
（a6）前記パスワードの前記文字のすべてが除去される場合、前記クリア・パスワード・ボタンを使用不可能にするステップと、
を含む、請求項１記載の方法。
【請求項３】
さらに、前記ステップ(d)が、
（d1）前記リモート・コンピュータ・システムに含まれるソフトウェアの型を判断するステップと、
（d2）前記記憶装置上の少なくとも２組のソフトウェアから、前記ステップ(d1)で判断される前記ソフトウェアの型に合致する１組のソフトウェアを選択するステップと、
を含む、請求項１記載の方法。
【請求項４】
前記ローカル・コンピュータ・システム内に記憶される前記チェックサムが、さらにローカル・コンピュータ・システム内で実行している前記ソフトウェア内に記憶される、請求項１記載の方法。
【請求項５】
コンピュータ・ネットワークを通して、ローカル・コンピュータ・システムから対象コンピュータ・システムにソフトウェアをインストールするための、コンピュータで実現される方法であって、
（a）複数の可能性のある前記対象コンピュータ・システムのうちの１つから対象コンピュータ・システムを選択するデータを受け取るステップと、
（b）対象コンピュータ・システムのリモート端末として動作する前記ローカル・コンピュータ・システムを、前記対象コンピュータ・システムに接続するステップと、
（c）インストールされる前記ソフトウェアを含む前記ローカル・コンピュータ・システム上の記憶装置を、前記対象コンピュータ・システム上の記憶装置として接続するステップと、
（d）前記対象コンピュータ・システム内で、前記記憶装置上の各々のインストール・プログラムについてチェックサム値を計算し、チェックサム値を前記ローカル・コンピュータ・システムに送るプログラムを実施するステップと、
（e）前記ローカル・コンピュータ・システム内で、各々のチェックサム値を、ローカル・コンピュータ・システム内に記憶されるチェックサム値と比較するステップと、
（f）前記対象コンピュータ・システム上で、インストールを実施するために、前記記憶装置上に記憶される１つまたは複数のインストール・プログラムを実施するステップと、
を含む、上記方法。
【請求項６】
上記ステップ(a)がさらにパスワードを受け取ることを含み、
（a1）パスワードの入力のための画面位置を表示するステップと、
（a2）受け取られる文字を表示せずに、パスワードの文字を受け取るステップと、
（a3）クリア・パスワード・ボタンを表示するステップと、
（a4）パスワードの少なくとも１つの文字が受け取られるまで、前記クリア・パスワード・ボタンを使用不可能にするステップと、
（a5）少なくとも１つの文字が受け取られたあと、前記クリア・パスワード・ボタンを使用可能にするステップと、
（a6）パスワードの前記文字のすべてが除去される場合、前記クリア・パスワード・ボタンを使用不可能にするステップと、
を含む、請求項５記載の方法。
【請求項７】
上記ステップ(d)がさらに、
（d1）前記対象コンピュータ・システムに含まれるオペレーティング・システム・ソフトウェアの型を判断するステップと、
（d2）前記記憶装置上の少なくとも２組のソフトウェアから、インストールのために、前記ステップ(d1)で判断される前記オペレーティング・システム・ソフトウェアの型に合致する１組のソフトウェアを選択するステップと、
を含む、請求項５記載の方法。
【請求項８】
前記ローカル・コンピュータ・システム内に記憶される前記チェックサムが、さらに、ローカル・コンピュータ・システム内で実行している前記ソフトウェア内に記憶される、請求項５記載の方法。
【請求項９】
コンピュータ・ネットワークを通してローカル・コンピュータ・システムからリモート・コンピュータ・システムに、遠隔的にソフトウェアを実行する、コンピュータで実現される方法であって、
（a）前記ローカル・コンピュータ・システム上で、複数の可能性のある前記リモート・コンピュータ・システムのうちの１つからリモート・コンピュータ・システムを選択するために、データ受け取るステップと、
（b）パスワードの入力のための画面位置を表示するステップと、
（c）受け取られる文字を表示せずに、パスワードの文字を受け取るステップと、
（d）クリア・パスワード・ボタンを表示するステップと、
（e）前記パスワードの少なくとも１つの文字が受け取られるまで、前記クリア・パスワード・ボタンを使用不可能にするステップと、
（f）前記パスワードの少なくとも１つの文字が受け取られたあと、少なくとも１つの文字が受け取られたことを視覚表示して、前記クリア・パスワード・ボタンを使用可能にするステップと、
（g）前記パスワードの上記文字のすべてが除去される場合、すべての文字が除去されたことを視覚表示して、前記クリア・パスワード・ボタンを使用不可能にするステップと、
（h）ステップ（b）から（g）で受け取られた前記パスワードが正しい場合、以下のステップ（i）から（k）を実施するステップと、
（i）前記リモート・コンピュータ・システムのリモート端末として動作する前記ローカル・コンピュータ・システムを、リモート・コンピュータ・システムに接続するステップと、
（j）前記リモート・コンピュータ・システム上で実行されるソフトウェアを含む、前記ローカル・コンピュータ・システム上の記憶装置を、リモート・コンピュータ・システム上の記憶装置として接続するステップと、
（k）前記リモート・コンピュータ・システム上で、前記記憶装置に記憶される前記ソフトウェアを実施するステップと、
を含む方法。
【請求項１０】
コンピュータ・ネットワークを通して、ローカル・コンピュータ・システムから対象コンピュータ・システムにソフトウェアをインストールするための、コンピュータで実現される方法であって、
（a）複数の可能性のある前記対象コンピュータ・システムのうちの１つから対象コンピュータ・システムを選択するデータを受け取るステップと、
（b）パスワードの入力のための画面位置を表示するステップと、
（c）受け取られる文字を表示せずに、パスワードの文字を受け取るステップと、
（d）クリア・パスワード・ボタンを表示するステップと、
（e）前記パスワードの少なくとも１つの文字が受け取られるまで、前記クリア・パスワード・ボタンを使用不可能にするステップと、
（f）前記パスワードの少なくとも１つの文字が受け取られたあと、少なくとも１つの文字が受け取られたことを視覚表示して、前記クリア・パスワード・ボタンを使用可能にするステップと、
（g）前記パスワードの前記文字のすべてが除去される場合、すべての文字が除去されたことを視覚表示して、前記クリア・パスワード・ボタンを使用不可能にするステップと、
（h）ステップ（b）から（g）で受け取られた前記パスワードが正しい場合、以下のステップ（i）から（k）を実施するステップと、
（i）前記対象コンピュータ・システムのリモート端末として動作する前記ローカル・コンピュータ・システムを、対象コンピュータ・システムに接続するステップと、
（j）インストールされる前記ソフトウェアを含む前記ローカル・コンピュータ・システム上の記憶装置を、前記対象コンピュータ・システム上の記憶装置として接続するステップと、
（k）前記対象コンピュータ・システム上で、インストールを実施するために、前記記憶装置上に記憶される１つまたは複数のインストール・プログラムを実施するステップと、
を含む方法。